(57)【特許請求の範囲】
【請求項１】
少なくとも1つのユーザ機器から複数のチャネル品質インジケータ値を受信するステップと、
あらかじめ定義された時間期間にわたって前記受信されたチャネル品質インジケータ値の分布を計算するステップと、
前記受信された複数のチャネル品質インジケータ値の前記分布が、前記チャネル品質インジケータ値のうちの少なくとも一部が上限しきい値以上である、または下限しきい値以下であることを示すかどうかを決定するステップと、
前記受信された複数のチャネル品質インジケータ値の前記分布が前記上限しきい値以上である、または前記下限しきい値以下であることに応答して、調整された測定電力オフセットを前記ユーザ機器に送信するステップと、
前記受信された前記チャネル品質インジケータ値に基づいて、前記予め定義された時間期間を調整するステップと、
を含むワイヤレス通信の方法。
【請求項２】
前記受信されたCQI値の前記分布を計算する前記ステップが、
前記あらかじめ定義された時間期間にわたって前記受信されたチャネル品質インジケータ値に基づいてヒストグラムを生成するステップ
を含む、請求項1に記載の方法。
【請求項３】
前記ヒストグラムが1つのユーザ機器に対応するように、前記受信されたチャネル品質インジケータ値が前記1つのユーザ機器から送信される、請求項2に記載の方法。
【請求項４】
前記ヒストグラムが複数のユーザ機器に対応するように、前記受信されたチャネル品質インジケータ値が前記複数のユーザ機器から送信される、請求項2に記載の方法。
【請求項５】
前記受信された複数のチャネル品質インジケータ値のうちの少なくとも一部が前記上限しきい値以上であることに応答して、前の測定電力オフセットをあらかじめ決定された量だけ低下させるステップと、
前記受信された複数のチャネル品質インジケータ値のうちの少なくとも一部が前記下限しきい値以下であることに応答して、前記前の測定電力オフセットをあらかじめ決定された量だけ増加させるステップと
をさらに含む請求項1に記載の方法。
【請求項６】
前記受信された複数のチャネル品質インジケータ値に少なくとも部分的に基づいて、前記前の測定電力オフセットを低下させるための前記あらかじめ決定された量、および前記前の測定電力オフセットを増加させるための前記あらかじめ決定された量を変更するステップ
をさらに含む請求項5に記載の方法。
【請求項７】
前記複数のチャネル品質インジケータ値をユーザ機器から受信するステップが、複数のチャネル品質インジケータ値を複数のユーザ機器の各々から受信するステップを含み、
前記調整された測定電力オフセットを前記ユーザ機器に送信するステップが、同じ調整された測定電力オフセットを前記複数のユーザ機器の各々に送信するステップを含む
請求項1に記載の方法。
【請求項８】
前記複数のチャネル品質インジケータ値をユーザ機器から受信するステップが、複数のチャネル品質インジケータ値を複数のユーザ機器の各々から受信するステップを含み、
前記調整された測定電力オフセットを前記ユーザ機器に送信するステップが、一意の調整された測定電力オフセットを前記複数のユーザ機器の各々に送信するステップを含む請求項1に記載の方法。
【請求項９】
ワイヤレス通信を円滑にするように適合されたトランシーバと、
メモリと、
前記トランシーバおよび前記メモリに結合された少なくとも1つのプロセッサとを備え、前記少なくとも1つのプロセッサが、
前記トランシーバを介して、少なくとも1つのユーザ機器から複数のチャネル品質インジケータ値を受信し、
あらかじめ定義された時間期間にわたって前記受信されたチャネル品質インジケータ値の分布を計算し、
前記受信された複数のチャネル品質インジケータ値の前記分布が、前記チャネル品質インジケータ値のうちの少なくとも一部が上限しきい値以上である、または下限しきい値以下であることを示すかどうかを決定し、
前記受信された複数のチャネル品質インジケータ値の前記分布が前記上限しきい値以上である、または前記下限しきい値以下であることに応答して、前記トランシーバを介して調整された測定電力オフセットを前記ユーザ機器に送信し、
前記受信された前記チャネル品質インジケータ値に基づいて、前記予め定義された時間期間をさらに調整する
ように適合される
ワイヤレス通信のための装置。
【請求項１０】
前記あらかじめ定義された時間期間にわたって前記受信されたチャネル品質インジケータ値に基づいて、ヒストグラムを生成することによって、前記受信されたチャネル品質インジケータ値の前記分布が計算される、請求項9に記載の装置。
【請求項１１】
前記ヒストグラムが1つのユーザ機器に対応するように、前記受信されたチャネル品質インジケータ値が前記1つのユーザ機器から送信される、請求項10に記載の装置。
【請求項１２】
前記ヒストグラムが複数のユーザ機器に対応するように、前記受信されたチャネル品質インジケータ値が前記複数のユーザ機器から送信される、請求項10に記載の装置。
【請求項１３】
前記少なくとも1つのプロセッサがさらに、
前記受信された複数のチャネル品質インジケータ値のうちの少なくとも一部が前記上限しきい値以上であることに応答して、前の測定電力オフセットをあらかじめ決定された量だけ低下させ、
前記受信された複数のチャネル品質インジケータ値のうちの少なくとも一部が前記下限しきい値以下であることに応答して、前記前の測定電力オフセットをあらかじめ決定された量だけ増加させる
ように適合される、請求項9に記載の装置。
【請求項１４】
前記少なくとも1つのプロセッサがさらに、
前記受信された複数のチャネル品質インジケータ値に少なくとも部分的に基づいて、前記前の測定電力オフセットを低下させるための前記あらかじめ決定された量、および前記前の測定電力オフセットを増加させるための前記あらかじめ決定された量を変更する
ように適合される、請求項11に記載の装置。
【請求項１５】
前記少なくとも1つのプロセッサが、
前記複数のチャネル品質インジケータ値を複数のユーザ機器の各々から受信し、
同じ調整された測定電力オフセットを前記複数のユーザ機器の各々に送信する
ように適合される、請求項9に記載の装置。
【請求項１６】
前記少なくとも1つのプロセッサが、
前記複数のチャネル品質インジケータ値を複数のユーザ機器の各々から受信し、
一意の調整された測定電力オフセットを前記複数のユーザ機器の各々に送信する
ように適合される、請求項9に記載の装置。
【請求項１７】
少なくとも1つのユーザ機器から複数のチャネル品質インジケータ値を受信するための手段と、
あらかじめ定義された時間期間にわたって前記受信されたチャネル品質インジケータ値の分布を計算するための手段と、
前記受信された複数のチャネル品質インジケータ値の前記分布が、前記チャネル品質インジケータ値のうちの少なくとも一部が上限しきい値以上である、または下限しきい値以下であるかことを示すどうかを決定するための手段と、
前記受信された複数のチャネル品質インジケータ値の前記分布が前記上限しきい値以上である、または前記下限しきい値以下であることに応答して、調整された測定電力オフセットを前記ユーザ機器に送信するための手段と、
前記受信された前記チャネル品質インジケータ値に基づいて、前記予め定義された時間期間をさらに調整するための手段と
を含むワイヤレス通信のための装置。
【請求項１８】
前記受信された複数のチャネル品質インジケータ値のうちの少なくとも一部が前記上限しきい値以上であることに応答して、前の測定電力オフセットをあらかじめ決定された量だけ低下させるための手段と、
前記受信された複数のチャネル品質インジケータ値のうちの少なくとも一部が前記下限しきい値以下であることに応答して、前記前の測定電力オフセットをあらかじめ決定された量だけ増加させるための手段と
をさらに含む請求項17に記載の装置。
【請求項１９】
前記受信された複数のチャネル品質インジケータ値に少なくとも部分的に基づいて、前記前の測定電力オフセットを低下させるための前記あらかじめ決定された量、および前記前の測定電力オフセットを増加させるための前記あらかじめ決定された量を変更するための手段
をさらに含む請求項18に記載の装置。
【請求項２０】
プロセッサにより実行可能なコードを含むコンピュータプログラムであって、
少なくとも1つのユーザ機器から複数のチャネル品質インジケータ値を受信するためのコードと、
あらかじめ定義された時間期間にわたって前記受信されたチャネル品質インジケータ値の分布を計算するためのコードと、
前記受信された複数のチャネル品質インジケータ値の前記分布が、前記チャネル品質インジケータ値のうちの少なくとも一部が上限しきい値以上である、または下限しきい値以下であることを示すかどうかを決定するためのコードと、
前記受信された複数のチャネル品質インジケータ値の前記分布が前記上限しきい値以上である、または前記下限しきい値以下であることに応答して、調整された測定電力オフセットを前記ユーザ機器に送信するためのコードと、
前記受信された前記チャネル品質インジケータ値に基づいて、前記予め定義された時間期間をさらに調整するためのコードと
を含む、コンピュータプログラム。
【請求項２１】
少なくとも1つのユーザ機器から前記複数のチャネル品質インジケータ値をワイヤレス受信するためのコードを含む、請求項20に記載のコンピュータプログラム。
【請求項２２】
前記調整された測定電力オフセットを前記少なくとも1つのユーザ機器にワイヤレス送信するためのコードを含む、請求項20に記載のコンピュータプログラム。
【請求項２３】
複数のチャネル品質インジケータ値を基地局に送信するステップと、
前記基地局が、前記基地局に送信された前記複数のチャネル品質インジケータ値のうちの少なくとも一部が上限しきい値以上である、または下限しきい値以下であると判断したことに応答して、新しい測定電力オフセットを提供する送信を前記基地局から受信するステップと、
複数の次のチャネル品質インジケータ値を決定する際に前記新しい測定電力オフセットを使用するステップと
を含み、
前記基地局は、あらかじめ定義された時間期間にわたって前記基地局に送信された前記複数のチャネル品質インジケータ値の分布を計算し、前記複数のチャネル品質インジケータ値に基づいて、前記予め定義された時間期間を調整する、ワイヤレス通信の方法。
【請求項２４】
前記新しい測定電力オフセットを提供する前記送信を前記基地局から受信するステップが、
前記複数のチャネル品質インジケータ値のうちの少なくとも一部が前記上限しきい値以上であることに応答して、前記複数のチャネル品質インジケータ値を計算するために使用される最初の測定電力オフセットよりも低い新しい測定電力オフセットを受信するステップ
を含む、請求項23に記載の方法。
【請求項２５】
前記新しい測定電力オフセットを提供する前記送信を前記基地局から受信するステップが、
前記複数のチャネル品質インジケータ値のうちの少なくとも一部が前記下限しきい値以下であることに応答して、前記複数のチャネル品質インジケータ値を計算するために使用される最初の測定電力オフセットよりも高い新しい測定電力オフセットを受信するステップ
を含む、請求項23に記載の方法。
【請求項２６】
ワイヤレス通信を円滑にするように適合されたトランシーバと、
メモリと、
前記トランシーバおよび前記メモリに結合された少なくとも1つのプロセッサとを備え、前記少なくとも1つのプロセッサが、
前記トランシーバを介して複数のチャネル品質インジケータ値を基地局に送信し、
前記基地局が、前記基地局に送信された前記複数のチャネル品質インジケータ値のうちの少なくとも一部が上限しきい値以上である、または下限しきい値以下であると判断したことに応答して、前記トランシーバを介して、新しい測定電力オフセットを提供する送信を前記基地局から受信し、
複数の次のチャネル品質インジケータ値を決定する際に前記新しい測定電力オフセットを使用する
ように適合され、
前記基地局は、あらかじめ定義された時間期間にわたって前記基地局に送信された前記複数のチャネル品質インジケータ値の分布を計算し、前記複数のチャネル品質インジケータ値に基づいて、前記予め定義された時間期間を調整する、ワイヤレス通信のための装置。
【請求項２７】
前記少なくとも1つのプロセッサがさらに、
最初の測定電力オフセットを使用して、前記複数のチャネル品質インジケータ値を計算する
ように適合される、請求項26に記載の装置。
【請求項２８】
前記複数のチャネル品質インジケータ値のうちの少なくとも一部が前記上限しきい値以上であることに応答して、前記新しい測定電力オフセットが、前記複数のチャネル品質インジケータ値を計算するために使用される最初の測定電力オフセットよりも低い、請求項26に記載の装置。
【請求項２９】
前記複数のチャネル品質インジケータ値のうちの少なくとも一部が前記下限しきい値以下であることに応答して、前記新しい測定電力オフセットが、前記複数のチャネル品質インジケータ値を計算するために使用される最初の測定電力オフセットよりも高い、請求項26に記載の装置。
【請求項３０】
複数のチャネル品質インジケータ値を基地局に送信するための手段と、
前記基地局が、前記基地局に送信された前記複数のチャネル品質インジケータ値のうちの少なくとも一部が上限しきい値以上である、または下限しきい値以下であると判断したことに応答して、新しい測定電力オフセットを提供する送信を前記基地局から受信するための手段と、
複数の次のチャネル品質インジケータ値を決定する際に前記新しい測定電力オフセットを使用するための手段と
を含み、
前記基地局は、あらかじめ定義された時間期間にわたって前記基地局に送信された前記複数のチャネル品質インジケータ値の分布を計算し、前記複数のチャネル品質インジケータ値に基づいて、前記予め定義された時間期間を調整する、ワイヤレス通信のための装置。
【請求項３１】
前記複数のチャネル品質インジケータ値のうちの少なくとも一部が前記上限しきい値以上であることに応答して、前記新しい測定電力オフセットが、前記複数のチャネル品質インジケータ値を計算するために使用される最初の測定電力オフセットよりも低い、請求項30に記載の装置。
【請求項３２】
前記複数のチャネル品質インジケータ値のうちの少なくとも一部が前記下限しきい値以下であることに応答して、前記新しい測定電力オフセットが、前記複数のチャネル品質インジケータ値を計算するために使用される最初の測定電力オフセットよりも高い、請求項30に記載の装置。
【請求項３３】
プロセッサにより実行可能なコードを含むコンピュータプログラムであって、
複数のチャネル品質インジケータ値を基地局に送信するためのコードと、
前記基地局が、前記基地局に送信された前記複数のチャネル品質インジケータ値のうちの少なくとも一部が上限しきい値以上である、または下限しきい値以下であると判断したことに応答して、新しい測定電力オフセットを提供する送信を前記基地局から受信するためのコードと、
複数の次のチャネル品質インジケータ値を決定する際に前記新しい測定電力オフセットを使用するためのコードと
を含み、
前記基地局は、あらかじめ定義された時間期間にわたって前記基地局に送信された前記複数のチャネル品質インジケータ値の分布を計算し、前記複数のチャネル品質インジケータ値に基づいて、前記予め定義された時間期間を調整する、コンピュータプログラム。
【請求項３４】
前記複数のチャネル品質インジケータ値のうちの少なくとも一部が前記上限しきい値以上であることに応答して、前記新しい測定電力オフセットが、前記複数のチャネル品質インジケータ値を計算するために使用される最初の測定電力オフセットよりも低い、請求項33に記載のコンピュータプログラム。
【請求項３５】
前記複数のチャネル品質インジケータ値のうちの少なくとも一部が前記下限しきい値以下であることに応答して、前記新しい測定電力オフセットが、前記複数のチャネル品質インジケータ値を計算するために使用される最初の測定電力オフセットよりも高い、請求項33に記載のコンピュータプログラム。
【請求項３６】
前記複数のチャネル品質インジケータ値を前記基地局にワイヤレス送信するためのコードを含む、請求項33に記載のコンピュータプログラム。
【請求項３７】
前記基地局から前記新しい送信電力オフセットを提供する前記送信をワイヤレス受信するためのコードを含む、請求項33に記載のコンピュータプログラム。
【発明の詳細な説明】
【技術分野】
【０００１】
本開示の態様は、一般に、ワイヤレス通信システムに関し、より詳細には、少なくともいくつかの態様は、動的に調整された測定電力オフセットを使用してチャネル品質報告を円滑にするための方法およびデバイスに関する。
【背景技術】
【０００２】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM(登録商標))技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような拡張3Gデータ通信プロトコルもサポートする。
【０００３】
モバイルブロードバンドアクセスに対する要望が増し続けるにつれて、研究開発は、モバイルブロードバンドアクセスに対する高まる要望を満たすためだけでなく、モバイル通信によるユーザ経験を進化させ向上させるためにも、UMTS技術を進化させ続けている。
【発明の概要】
【発明が解決しようとする課題】
【０００４】
1つのそのような進化は、変調および符号化を適応する際に、ならびにたとえば高速パケットアクセス(HSPA)およびLong Term Evolution(LTE)システムなど、高速データシステムにおけるスケジューリングのために、ネットワークが使用するためにチャネル品質インジケータ(CQI)の形態でユーザ機器から報告されるチャネル品質フィードバックを含む。従来のCQI計算および指定された報告は、スループット性能に影響を及ぼし得る低減解像度およびクリッピングをもたらす可能性があるので、従来のCQI計算および報告を向上させることが有益である。
【課題を解決するための手段】
【０００５】
チャネル品質フィードバックを報告する際に使用するための動的な測定電力オフセット調整を円滑にするための方法および装置が提供される。ユーザ機器は、複数のチャネル品質インジケータ(CQI)値を生成し、送信することができる。ネットワークエンティティは、特定のUEまたは一群のUEから受信されたCQIに対応する統計値を収集することができ、その結果、これらの統計値は、CQI値のクリッピングがCQI報告範囲の下側または上側の境界で生じたかどうかを決定するために利用され得る。受信されたCQI値のうちの少なくとも一部がクリッピングを示す場合(いくつかの例では、クリッピングの重大度を評価するために構成可能な閾値が使用され得る)、調整された測定電力オフセットはUEに送られ得る。調整された測定電力オフセットを受信すると、UEは、従来のやり方で調整された測定電力オフセットを使用して次のCQI値を生成することができ、したがって、CQIクリッピングが低減または除去される。
【０００６】
一態様では、本開示は、ワイヤレス通信の方法を提供し、この方法は、少なくとも1つのユーザ機器から複数のチャネル品質インジケータ値を受信するステップと、受信された複数のチャネル品質インジケータ値のうちの少なくとも一部が上限しきい値以上である、または下限しきい値以下であるかどうかを決定するステップと、受信された複数のチャネル品質インジケータ値のうちの少なくとも一部が上限しきい値以上である、または下限しきい値以下であることに応答して、調整された測定電力オフセットをユーザ機器に送信するステップとを含む。
【０００７】
本開示の別の態様は、ワイヤレス通信のための装置を提供し、この装置は、ワイヤレス通信を円滑にするように適合されたトランシーバと、メモリと、トランシーバおよびメモリに結合された少なくとも1つのプロセッサとを含む。ここでは、少なくとも1つのプロセッサは、トランシーバを介して、少なくとも1つのユーザ機器から複数のチャネル品質インジケータ値を受信し、受信された複数のチャネル品質インジケータ値のうちの少なくとも一部が上限しきい値以上である、または下限しきい値以下であるかどうかを決定し、受信された複数のチャネル品質インジケータ値のうちの少なくとも一部が上限しきい値以上である、または下限しきい値以下であることに応答して、トランシーバを介して調整された測定電力オフセットをユーザ機器に送信するように適合される。
【０００８】
本開示の別の態様は、ワイヤレス通信の方法を提供し、この方法は、複数のチャネル品質インジケータ値を基地局に送信するステップと、基地局に送信された複数のチャネル品質インジケータ値のうちの少なくとも一部が上限しきい値以上である、または下限しきい値以下であることに応答して、新しい測定電力オフセットを示す送信を基地局から受信するステップと、複数の次のチャネル品質インジケータ値を決定する際に新しい測定電力オフセットを使用するステップとを含む。
【０００９】
本開示の別の態様は、ワイヤレス通信のための装置を提供し、この装置は、ワイヤレス通信を円滑にするように適合されたトランシーバと、メモリと、トランシーバおよびメモリに結合された少なくとも1つのプロセッサとを含む。ここでは、少なくとも1つのプロセッサは、トランシーバを介して複数のチャネル品質インジケータ値を基地局に送信し、基地局に送信された複数のチャネル品質インジケータ値のうちの少なくとも一部が上限しきい値以上である、または下限しきい値以下であることに応答して、トランシーバを介して、新しい測定電力オフセットを示す送信を基地局から受信し、複数の次のチャネル品質インジケータ値を決定する際に新しい測定電力オフセットを使用するように適合される。
【００１０】
本発明のこれらの態様および他の態様は、以下の発明を実施するための形態を概観することによってより完全に理解されるだろう。
【図面の簡単な説明】
【００１１】
【図１】アクセスネットワークの一例を示す概念図である。
【図２】電気通信システムの一例を概念的に示すブロック図である。
【図３】ユーザプレーンおよび制御プレーンの無線プロトコルアーキテクチャの一例を示す概念図である。
【図４】処理システムを使用する装置のハードウェア実装の一例を示すブロック図である。
【図５】電気通信システムにおいてUEと通信しているノードBの一例を概念的に示すブロック図である。
【図６】少なくとも1つの実装形態による測定電力オフセットを調整するための操作を示すフロー図である。
【図７】少なくとも1つの実装形態による測定電力オフセット調整操作におけるノードBとUEとの間の対話のうちの少なくともいくつかの一例を示すフロー図である。
【図８】少なくとも1つの実装形態による、CQI値に応答して測定電力オフセット調整を円滑にするための基地局上で動作可能な方法を示すフロー図である。
【図９】少なくとも1つの実装形態による、ユーザ機器によって報告されるCQI値に応答して測定電力オフセット調整を円滑にするためのユーザ機器上で動作可能な方法を示すフロー図である。
【発明を実施するための形態】
【００１２】
添付の図面に関する下記の詳細な説明は、様々な構成の説明として意図されており、本明細書で説明される概念が実施され得る唯一の構成を表すように意図されているわけではない。詳細な説明は、様々な概念の完全な理解をもたらす目的で、具体的な詳細を含んでいる。しかし、これらの概念がこれらの具体的な詳細なしに実施され得ることが、当業者には明らかであろう。場合によっては、そのような概念を曖昧にするのを回避する目的で、周知の構造および構成要素がブロック図の形式で示されている。
【００１３】
本開示全体にわたって提示される様々な概念は、広範な電気通信システム、ネットワークアーキテクチャ、および通信規格にわたって実装され得る。図1を参照すると、限定ではなく例として、簡略化されたアクセスネットワーク100が示されている。アクセスネットワーク100は、セル102、104、および106を含む複数のセルラー領域(セル)を含み、セルの各々は、1つまたは複数のセクタを含み得る。セルは、たとえばカバレージエリアによって地理的に定義することができ、かつ/または、周波数、スクランブリングコードなどに従って定義することもできる。つまり、図示される地理的に定義されたセル102、104、および106は各々、たとえば異なるスクランブリングコードを利用することによって、複数のセルにさらに分割され得る。たとえば、セル104aは、第1のスクランブリングコードを利用することができ、セル104bは、同じ地理的な領域内にあり同じノードB144によってサービスされているとき、第2のスクランブリングコードを利用することによって区別され得る。
【００１４】
セクタに分割されるセルでは、セル内の複数のセクタはアンテナのグループによって形成されてよく、各々のアンテナがセルの一部にある1つまたは複数のユーザ機器(UE)との通信を担う。たとえば、セル102において、アンテナグループ112、114、および116は、各々異なるセクタに対応し得る。セル104において、アンテナグループ118、120、および122は、各々異なるセクタに対応する。セル106において、アンテナグループ124、126、および128は、各々異なるセクタに対応する。
【００１５】
セル102、104、および106は、各セル102、104、または106の1つまたは複数のセクタと通信していてもよい、いくつかのUEを含み得る。たとえば、UE130および132は、セル102の基地局142と通信していてもよく、UE134および136は、セル104の基地局144と通信していてもよく、UE138および140は、セル106の基地局146と通信していてもよい。ここで、各基地局142、144、146は、それぞれのセル102、104、および106の中のすべてのUE130、132、134、136、138、140のために、コアネットワーク204(図2参照)へのアクセスポイントを提供するように構成される。
【００１６】
次に図2を参照すると、限定はしないが、例として、W-CDMAエアインターフェースを使用するUniversal Mobile Telecommunications System(UMTS)システム200として実装されるアクセスネットワーク(図1のアクセスネットワーク100など)の選択構成要素を示すブロック図が示される。UMTSネットワークは、一般に、コアネットワーク(CN)204、UMTS Terrestrial Radio Access Network(UTRAN)202、およびユーザ機器(UE)210の3つの相互作用するドメインを含む。この例では、UTRAN202は、電話、ビデオ、データ、メッセージング、放送、および/または他のサービスを含む様々なワイヤレスサービスを提供することができる。UTRAN202は、無線ネットワークコントローラ(RNC)206などのそれぞれの無線ネットワークコントローラ(RNC)によって各々制御される、無線ネットワークサブシステム(RNS)207などの複数の無線ネットワークサブシステム(RNS)を含み得る。ここで、UTRAN202は、示されるRNC206およびRNS207とは変わり得る、任意の数のRNC206およびRNS207を含み得る。RNC206は、とりわけ、RNS207内の無線リソースを割り当て、再構成し、解放することを受け持つ装置である。RNC206は、任意の適切なトランスポートネットワークを使用して、直接の物理接続、仮想ネットワークなど様々なタイプのインターフェースを介して、UTRAN202中の他のRNC(図示せず)に相互接続され得る。
【００１７】
RNS207によってカバーされる地理的領域は、いくつかのセルに分けることができ、無線トランシーバ装置が各セルにサービスする。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS207に3つのノードB208が示されているが、RNS207は、任意の数のワイヤレスノードBを含んでもよい。ノードB208は、ワイヤレスアクセスポイントを任意の数のモバイル装置のためのコアネットワーク(CN)204に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスなどがある。モバイル装置は、通常、UMTS用途ではユーザ機器(UE)210と呼ばれるが、当業者によって、移動局(MS)、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末(AT)、モバイル端末、ワイヤレス端末、遠隔端末、ハンドセット、端末、ユーザエージェント、モバイルクライアント、クライアント、または何らかの他の適切な用語で呼ばれることもある。UMTSシステムでは、UE210は、ネットワークへのユーザの加入情報を含む汎用加入者識別モジュール(USIM)211をさらに含み得る。説明のために、1つのUE210がいくつかのノードB208と通信しているように示される。順方向リンクとも呼ばれるダウンリンク(DL)は、ノードB208からUE210への通信リンクを指し、逆方向リンクとも呼ばれるアップリンク(UL)は、UE210からノードB208への通信リンクを指す。
【００１８】
コアネットワーク204は、UTRAN202のような1つまたは複数のアクセスネットワークとインターフェースをとる。図示のように、コアネットワーク204は、GSM(登録商標)コアネットワークである。しかしながら、当業者が認識するように、GSM(登録商標)ネットワーク以外のタイプのコアネットワークへのアクセスをUEに提供するために、本開示全体にわたって提示される様々な概念を、RANまたは他の適切なアクセスネットワークにおいて実装することができる。
【００１９】
示されるGSM(登録商標)コアネットワーク204は、回線交換(CS)ドメインおよびパケット交換(PS)ドメインを含む。回線交換要素のいくつかは、モバイルサービス交換センタ(MSC)、ビジターロケーションレジスタ(VLR)、およびゲートウェイMSC(GMSC)である。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換ドメインとパケット交換ドメインの両方によって共有され得る。
【００２０】
図示の例では、コアネットワーク204は、MSC212およびGMSC214によって回線交換サービスをサポートする。いくつかの用途では、GMSC214は、メディアゲートウェイ(MGW)とも呼ばれ得る。RNC206のような1つまたは複数のRNCが、MSC212に接続され得る。MSC212は、呼設定、呼ルーティング、およびUEモビリティ機能を制御する装置である。MSC212は、UEがMSC212のカバレージエリア内にある間、加入者関連の情報を格納する、ビジターロケーションレジスタ(VLR)も含む。GMSC214は、UEが回線交換ネットワーク216にアクセスするためのゲートウェイを、MSC212を通じて提供する。GMSC214は、特定のユーザが加入したサービスの詳細を反映するデータのような加入者データを格納する、ホームロケーションレジスタ(HLR)215を含む。HLRは、加入者に固有の認証データを格納する、認証センター(AuC)とも関連付けられている。特定のUEについて、呼が受信されると、GMSC214は、UEの位置を決定するためにHLR215に問い合わせ、その位置をサービスする特定のMSCに呼を転送する。
【００２１】
示されるコアネットワーク204はまた、サービングGPRSサポートノード(SGSN)218およびゲートウェイGPRSサポートノード(GGSN)220によって、パケットデータサービスをサポートする。汎用パケット無線サービスを表すGPRSは、標準の回線交換データサービスで可能なものより速い速度でパケットデータサービスを提供するよう設計されている。GGSN220は、パケットベースネットワーク222へのUTRAN202の接続を提供する。パケットベースネットワーク222は、インターネット、プライベートデータネットワーク、または何らかの他の適切なパケットベースネットワークであってもよい。GGSN220の主要機能は、UE210にパケットベースネットワーク接続を提供することである。データパケットは、MSC212が回線交換ドメインにおいて実行するのと同じ機能をパケットベースドメインにおいて主に実行するSGSN218を介して、GGSN220とUE210との間で転送され得る。
【００２２】
UMTSエアインターフェースは、スペクトラム拡散直接シーケンス符号分割多元接続(DS-CDMA)システムであってよい。スペクトラム拡散DS-CDMAは、チップと呼ばれる疑似ランダムビットの列との乗算によって、ユーザデータを拡散させる。UMTSのW-CDMAエアインターフェースは、そのようなDS-CDMA技術に基づいており、さらに周波数分割複信(FDD)を必要とする。FDDは、ノードB208とUE210との間のアップリンク(UL)およびダウンリンク(DL)に異なるキャリア周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指し得るが、基礎をなす原理はTD-SCDMAエアインターフェースに等しく適用可能であり得ることを、当業者は認識するだろう。
【００２３】
UE210とノードB208との間の通信は、物理(PHY)層および媒体アクセス制御(MAC)層を含むものと見なされ得る。さらに、それぞれのノードB208によるUE210とRNC206との間の通信は、無線リソース制御(RRC)層を含むものと見なされ得る。図3は、ユーザ機器(UE)210とノードB208との間のユーザプレーンおよび制御プレーンの無線プロトコルアーキテクチャの一例を示すブロック図である。ここで、ユーザプレーンまたはデータプレーンはユーザのトラフィックを搬送し、一方制御プレーンは、制御情報、すなわちシグナリングを搬送する。
【００２４】
図2および図3を参照すると、UE210およびノードB208の無線プロトコルアーキテクチャは、層1(L1)、層2(L2)、および層3(L3)という3つの層で示される。層1は最下層であり、様々な物理層の信号処理機能を実装する。層1は、本明細書では物理層306と呼ばれる。層2(または「L2層」)308と呼ばれるデータリンク層は、物理層306の上にあり、物理層306を通じたUE210とノードB208との間のリンクを担う。
【００２５】
層3において、RRC層316は、UE210とノードB208との間の制御プレーンのシグナリングを扱う。RRC層316は、高次層のメッセージのルーティング、ブロードキャスト機能および呼び出し機能の取り扱い、無線ベアラの確立および構成などのための、いくつかの機能的なエンティティを含む。
【００２６】
示されるエアインターフェースでは、L2層308はサブレイヤに分割される。制御プレーンでは、L2層308は、メディアアクセス制御(MAC)サブレイヤ310および無線リンク制御(RLC)サブレイヤ312という、2つのサブレイヤを含む。ユーザプレーンでは、L2層308はさらに、パケットデータコンバージェンスプロトコル(PDCP)サブレイヤ314を含む。示されないが、UE210は、ネットワーク側のPDNゲートウェイで終端するネットワーク層(たとえばIP層)と、接続の他の端部(たとえば、遠端のUE、サーバなど)で終端するアプリケーション層とを含めて、L2層308より上にいくつかの上位層を有し得る。
【００２７】
PDCPサブレイヤ314は、異なる無線ベアラと論理チャネルとの間の多重化を行う。PDCPサブレイヤ314はまた、無線送信のオーバーヘッドを低減するための上位層データパケットのヘッダ圧縮、データパケットの暗号化によるセキュリティ、および、ノードB208間のUE210のハンドオーバーのサポートを実現する。
【００２８】
RLCサブレイヤ312は、上位層のデータパケットのセグメント化および再構築、失われたデータパケットの再送信、ならびに、ハイブリッド自動再送要求(HARQ)による順序の狂った受信を補償するためのデータパケットの再順序付けを行う。
【００２９】
MACサブレイヤ310は、論理チャネルとトランスポートチャネルとの間の多重化を行う。MACサブレイヤ310はまた、1つのセルの中の様々な無線リソース(たとえばリソースブロック)の複数のUEへの割り当てを担う。MACサブレイヤ310はまた、HARQ動作も担う。
【００３０】
図2に示したシステムなどシステムに実装される高速パケットアクセス(HSPA)エアインターフェースは、スループットの向上および遅延の低減を容易にする、3G/W-CDMAエアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００３１】
HSDPAネットワークは、高速ダウンリンク共有チャネル(HS-DSCH)を、トランスポートチャネルとして利用し得る。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００３２】
これらの物理チャネルの中でも、HS-DPCCHは、対応するパケット送信の復号が成功したかどうかを示すための、HARQ肯定応答(ACK)および/または否定応答(NACK)シグナリングをアップリンクで搬送する。つまり、ダウンリンクに関して、UE210は、ダウンリンク上のパケットを正常に復号したかどうかを示すために、HS-DPCCHを通じてフィードバックをノードB208に与える。
【００３３】
HS-DPCCHはさらに、ノードB408が変調符号化方式およびプリコーディング重み選択に関する決定を行うのを支援するためのフィードバックシグナリングを送信するために、UE210によって使用され得る。たとえば、少なくともいくつかの実装形態では、UE210は、ダウンリンクチャネルの何らかのパラメータの測定を監視し実行して、そのチャネルの品質を判定する。これらの測定に基づいて、UE210は、HS-DPCCHを使用して、アップリンク送信でノードB208にフィードバックを提供することができる。このフィードバックは、チャネル品質インジケータ(CQI)を含み得る。チャネル品質インジケータ(CQI)は、一般に、受信した共通パイロットの信号対雑音比に基づいて、UE210で計算される。CQIは、特定のUEの受信機性能を考慮に入れて、推奨されたトランスポートブロックサイズと解釈され得る。すなわち、CQIは、10%のブロック誤り率を有する何らかの仮定の電力を使用して、ダウンリンク上でUE210に送信することができるビット数を推定し、UEの受信機性能との組合せでUE210の知覚されたチャネル品質の測度をノードB208に提供することに関連する。
【００３４】
CQIは、一般的には、1と30との間の整数値をとり、3rd Generation Partnership Project, Technical Specification Group Radio Access Network, 3GPP TS 25.214 section 6A.2に記載されているように、1は最も低いチャネル品質を示し、30は最も高いチャネル品質を示す。UEは、HS-PDSCH上の総受信電力が式PHSPDSCH=PCPICH+Γ+Δ(dB)によって定義されるという仮定で、CQIを計算し、式中、PCPICHは一般的に、P-CPICHの受信電力であり、Γは測定電力オフセットであり、Δは技術仕様に含まれる表によって与えられる参照電力調整である。
【００３５】
RNC206などのネットワークノードは、CQIを受信し、ノードB208から対応するUE210への将来の送信のために、ならびにスケジューリングアルゴリズムのために、変調および符号化を適合させるために、報告されたCQI測定値を使用することができる。当然、任意の適切なネットワークノードが、RNC206、基地局(E-UTRAネットワークにおけるeノードBなど)などを含む、受信されたCQI測定値の処理を実行することができることを、当業者であれば理解されよう。たとえば、ネットワークは、式ChQual=CQI-(PCPICH+Γ)に従って、報告されたCQIを処理してチャネル品質推定値にすることができる。このチャネル品質推定値は、トランスポートフォーマットリソース組合せ(TFRC)選択において使用することができる。したがって、ネットワークは、UE210からの報告されたCQIに基づいた、サイズ、符号化フォーマットなどを有する次のMAC-hs/MAC-ehsパケットを、ダウンリンク送信でUE210に提供することができる。
【００３６】
見られるように、UE210およびネットワークは共に、送信または受信されたCQI値に関する計算において、測定電力オフセット(Γ)を使用する。測定電力オフセットは、従来、呼セットアップでシグナリングされ、一般的には、トランスポートチャネル再構成手順が実行されない限り、変更されないままである。一般に、UE210は、UE210に送信するためのノードB208によって使用される実際の電力レベルを知らないので、CQIを計算するとき、ネットワークによって供給されるこの半静的測定電力オフセットを使用する。測定電力オフセット値が低すぎる場合、UE210は、極めて低いHS-PDSCH電力を想定し、一般的に、CQI報告範囲の下端におけるCQI値を報告し、これは、ダイナミックレンジの損失になり得る。同様に、測定電力オフセット値が高すぎる場合、UE210は、極めて高いHS-PDSCH電力を想定し、一般的に、CQI報告範囲の上端を使用する。多くの例では、UE210によって使用される測定電力オフセット値と、UE210に送信するために使用される実際の電力レベルの両方を、ノードB208は気づいているので、これらの歪んだ値は、CQIに対する必要な調整を行うことによってネットワークにより克服することができる。
【００３７】
いくつかの例では、実際にはCQI値がCQI報告範囲(1〜30)から外れる状況において、潜在的な問題が起こり得る。たとえば、測定電力オフセット値が低すぎる場合、UE210は、1の許容できる最も低いCQI値を下回るCQIにより密接に対応するチャネル品質を計算し得る(たとえば、0、-1、-2など)。同様に、測定電力オフセット値が高すぎる場合、UE210は、30の許容できる最も高いCQI値を上回るCQIにより密接に対応するチャネル品質を計算し得る(たとえば、31、32、33など)。UE210は1よりも小さいまたは30よりも大きいCQIを報告することができないので、これらの場合、CQI値は「クリップ」されると言うことができる。そのような場合、真のCQI値が何であるか(たとえば、1を下回るまたは30を上回る)について、ノードB208はわからないので、ノードB208は、完全な調整を行って、測定電力オフセット値と実際の電力値との間の差を克服することができない。本開示の様々な実装形態は、CQIクリッピングを回避する、さらには除去するために測定電力オフセット値を調整するためのデバイスおよび方法に関する。
【００３８】
本開示の様々な態様によれば、要素または要素の一部分または要素の組合せを、1つまたは複数のプロセッサを含む「処理システム」で実装できる。図4は、処理システム414を使用する装置400のハードウェア実装形態の一例を示すブロック図である。そのような装置400は、本開示の少なくともいくつかの実施形態によれば、ユーザ機器(たとえば図2のUE210)および/またはノードB(たとえば図2のノードB208)として使用され得る。図4に示した例では、処理システム414は、バス402によって概略的に表されるバスアーキテクチャで実装され得る。バス402は、処理システム414の具体的な用途および全体的な設計制約に応じて、任意の数の相互接続するバスおよびブリッジを含み得る。バス402は、プロセッサ404によって全般に表される1つまたは複数のプロセッサ、メモリ405、およびコンピュータ可読媒体406によって全般に表されるコンピュータ可読媒体を含む、様々な回路を互いにつなぐ。バス402は、タイミングソース、周辺機器、電圧調整器、および電力管理回路など、様々な他の回路をつなぐこともでき、これらの回路は当技術分野で知られているのでこれ以上は説明しない。バスインターフェース408は、バス402とトランシーバ410との間にインターフェースを提供する。トランシーバ410は、送信媒体上の様々な他の装置と通信するための手段を提供する。たとえば、トランシーバ410は、1つまたは複数の他のデバイスとのワイヤレス通信を円滑にするように適合され得る。そのような場合、トランシーバ410は、送信機チェーンおよび/または受信機チェーンを含むことができる。また、装置の性質に応じて、ユーザインターフェース412(たとえば、キーパッド、ディスプレイ、スピーカー、マイクロフォン、ジョイスティックなど)が設けられてもよい。
【００３９】
1つまたは複数の実施形態によれば、プロセッサ404は、1つまたは複数のマイクロプロセッサ、マイクロコントローラ、デジタルシグナルプロセッサ(DSP)、フィールドプログラマブルゲートアレイ(FPGA)、プログラマブルロジックデバイス(PLD)、状態機械、ゲート論理、個別ハードウェア回路、および/または本開示全体にわたって説明される様々な機能を実行するように構成された他の適切なハードウェアを含むことができる。プロセッサ404は、バス402の管理、およびコンピュータ可読媒体406上に記憶されたソフトウェアの実行を含む全般的な処理を受け持つ。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００４０】
コンピュータ可読媒体406は、非一時的コンピュータ可読媒体であってよい。非一時的コンピュータ可読媒体は、例として、磁気記憶デバイス(たとえば、ハードディスク、フレキシブルディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。また、コンピュータ可読媒体406は、例として、搬送波、伝送路、ならびに、コンピュータがアクセスし読み取ることができるソフトウェアおよび/または命令を送信するための任意の他の適切な媒体も含み得る。コンピュータ可読媒体406は、処理システム414の中に常駐してもよく、処理システム414の外に常駐してもよく、または処理システム414を含む複数のエンティティにわたって分散してもよい。コンピュータ可読媒体406は、コンピュータプログラム製品として具現化され得る。例として、コンピュータプログラム製品は、パッケージング材料内のコンピュータ可読媒体406を含み得る。当業者は、具体的な用途およびシステム全体に課される全体的な設計制約に応じて、本開示全体にわたって提示される説明する機能を最善の形で実装する方法を認識するだろう。
【００４１】
ソフトウェアは、プロセッサ404によって実行されると、任意の特定の装置の本明細書で説明する様々な機能および/またはプロセスステップを処理システム414に実行させる。コンピュータ可読媒体406は、ソフトウェアを実行するときにプロセッサ404によって操作されるデータを記憶するために使用されてもよい。したがって、本開示の1つまたは複数の態様によれば、プロセッサ404は、本明細書で説明するUEおよび/またはノードBのいずれかに関連するプロセス、機能、ステップ、および/またはルーチンのいずれかまたはすべてを実行するように適合され得る。プロセッサ404に関係して本明細書で使用される場合、「適合される」という用語は、本明細書に記載した様々な特徴による特定のプロセス、機能、ステップおよび/またはルーチンを実行するように構成されること、使用されること、実装されること、またはプログラムされることのうち1つまたは複数が行われるプロセッサ404を指し得る。
【００４２】
図5を参照すると、基地局510およびUE550として実装される2つの処理システム(たとえば、図4の処理システム414)のより詳細な例を示すブロック図が示される。図示された例では、基地局510は、UE550と通信しており、基地局510は図2のノードB208であってよく、UE550は図2のUE210であってよい。ダウンリンク通信では、送信プロセッサ520は、データ源512からデータを受信し、コントローラ/プロセッサ540から制御信号を受信することができる。送信プロセッサ520は、参照信号(たとえばパイロット信号)とともに、データ信号および制御信号のための様々な信号処理機能を提供する。たとえば、送信プロセッサ520は、誤り検出のための巡回冗長検査(CRC)コード、順方向誤り訂正(FEC)を容易にするための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号コンステレーションへのマッピング、直交可変拡散率(OVSF)による拡散、および、一連のシンボルを生成するためのスクランブリングコードとの乗算を、提供することができる。送信プロセッサ520のための、符号化方式、変調方式、拡散方式および/またはスクランブリング方式を決定するために、チャネルプロセッサ544からのチャネル推定が、コントローラ/プロセッサ540によって使われ得る。これらのチャネル推定は、UE550によって送信される参照信号から、またはUE550からのフィードバック(たとえばCQI値)から、導出され得る。送信プロセッサ520によって生成されたシンボルは、フレーム構造を作成するために、送信フレームプロセッサ530に与えられる。送信フレームプロセッサ530は、コントローラ/プロセッサ540からの情報とシンボルとを多重化することによって、このフレーム構造を作成し、一連のフレームが得られる。次いでこれらフレームは送信機532に与えられ、送信機532は、アンテナ534を通じたワイヤレス媒体によるダウンリンク送信のために、増幅、フィルタリング、およびフレームのキャリア上への変調を含む、様々な信号調整機能を提供する。アンテナ534は、たとえば、ビームステアリング双方向適応アンテナアレイまたは他の同様のビーム技術を含む、1つまたは複数のアンテナを含み得る。
【００４３】
UE550において、受信機554は、アンテナ552を通じてダウンリンク送信を受信し、その送信を処理してキャリア上へ変調されている情報を回復する。受信機554によって回復された情報は、受信フレームプロセッサ560に与えられ、受信フレームプロセッサ560は、各フレームを解析し、フレームからの情報をチャネルプロセッサ594に提供し、データ信号、制御信号、および参照信号を受信プロセッサ570に提供する。受信プロセッサ570は次いで、基地局510中の送信プロセッサ520によって実行される処理の逆を実行する。より具体的には、受信プロセッサ570は、シンボルを逆スクランブルおよび逆拡散し、次いで変調方式に基づいて、基地局510によって送信された、最も可能性の高い信号コンステレーション点を求める。これらの軟判定は、チャネルプロセッサ594によって計算されるチャネル推定に基づき得る。そして軟判定は、データ信号、制御信号、および参照信号を回復するために、復号されてデインターリーブされる。そして、フレームの復号が成功したかどうか判定するために、CRCコードが確認される。次いで、復号に成功したフレームによって搬送されるデータがデータシンク572に与えられ、データシンク572は、UE550および/または様々なユーザインターフェース(たとえばディスプレイ)において実行されているアプリケーションを表す。復号に成功したフレームが搬送する制御信号は、コントローラ/プロセッサ590に与えられる。受信プロセッサ570によるフレームの復号が失敗すると、コントローラ/プロセッサ590は、確認応答(ACK)プロトコルおよび/または否定応答(NACK)プロトコルを用いて、そうしたフレームの再送信要求をサポートすることもできる。
【００４４】
アップリンクでは、データ源578からのデータおよびコントローラ/プロセッサ590からの制御信号が、送信プロセッサ580に与えられる。データ源578は、UE550で実行されているアプリケーションおよび様々なユーザインターフェース(たとえばキーボード)を表し得る。基地局510によるダウンリンク送信に関して説明される機能と同様に、送信プロセッサ580は、CRCコード、FECを容易にするための符号化およびインターリービング、信号コンステレーションへのマッピング、OVSFによる拡散、および、一連のシンボルを生成するためのスクランブリングを含む、様々な信号処理機能を提供する。基地局510によって送信される参照信号から、または、基地局510によって送信されるミッドアンブル中に含まれるフィードバックから、チャネルプロセッサ594によって導出されるチャネル推定が、適切な符号化方式、変調方式、拡散方式、および/またはスクランブリング方式を選択するために、使われ得る。送信プロセッサ580によって生成されたシンボルは、フレーム構造を作成するために、送信フレームプロセッサ582に与えられることになる。送信フレームプロセッサ582は、コントローラ/プロセッサ590からの情報とシンボルとを多重化することによって、このフレーム構造を作成し、一連のフレームが得られる。次いでこのフレームは送信機556に与えられ、送信機556は、アンテナ552を通じたワイヤレス媒体によるアップリンク送信のために、増幅、フィルタリング、およびフレームのキャリア上への変調を含む、様々な信号調整機能を提供する。
【００４５】
アップリンク送信は、UE550において受信機機能に関して説明されたのと同様の方式で、基地局510において処理される。受信機535は、アンテナ534を通じてアップリンク送信を受信し、その送信を処理してキャリア上へ変調されている情報を回復する。受信機535によって回復された情報は、受信フレームプロセッサ536に与えられ、受信フレームプロセッサ536は、各フレームを解析し、フレームからの情報をチャネルプロセッサ544に提供し、データ信号、制御信号、および参照信号を受信プロセッサ538に提供する。受信プロセッサ538は、UE550中の送信プロセッサ580によって実行される処理の逆を実行する。次いで、復号に成功したフレームによって搬送されるデータ信号および制御信号が、データシンク539およびコントローラ/プロセッサにそれぞれ与えられ得る。フレームの一部が、受信プロセッサによる復号に失敗すると、コントローラ/プロセッサ540は、確認応答(ACK)プロトコルおよび/または否定応答(NACK)プロトコルも用いて、そうしたフレームの再送信要求をサポートすることもできる。
【００４６】
コントローラ/プロセッサ540および590は、それぞれ基地局510およびUE550における動作を指示するために使われ得る。たとえば、コントローラ/プロセッサ540および590は、タイミング、周辺インターフェース、電圧調整、電力管理、および他の制御機能を含む、様々な機能を提供することができる。メモリ542および592のコンピュータ可読媒体は、それぞれ、基地局510およびUE550のためのデータおよびソフトウェアを記憶することができる。基地局510におけるスケジューラ/プロセッサ546は、リソースをUEに割り当て、UEのダウンリンク送信および/またはアップリンク送信をスケジューリングするために、使われ得る。
【００４７】
少なくとも1つの特徴によれば、UE550のコントローラ/プロセッサ590は、チャネルプロセッサ594からのチャネル情報を使用してチャネル品質インジケータ(CQI)値を生成するように適合され得る。たとえば、チャネルプロセッサ594は、たとえば本明細書で上述したアルゴリズム(すなわち、dB単位のPHSPDSCH=PCPICH+Γ+Δ)など、CQIアルゴリズムに従ってCQI値を計算するために、コントローラ/プロセッサ590に情報を提供することができる。次いで、CQIは、本明細書に上述したように、アップリンク送信として、基地局510に送信され得る。基地局510のCQI送信の受信時に、コントローラ/プロセッサ540は、CQIを計算するためにUE550で使用される測定電力オフセットが調整されるべきかどうかを決定することができる。
【００４８】
1つまたは複数の態様によれば、RNC206または基地局510などのネットワークノードは、UE550から複数のチャネル品質インジケータ(CQI)値を受信し、分析して、受信された複数のCQI値の少なくとも一部が上限しきい値または下限しきい値の一方から外れるかどうかを決定し、望ましい場合、測定電力オフセットを調整するように適合される。図6は、少なくとも1つの実装形態による測定電力オフセットを調整するための操作を示すフロー図である。図示のように、1つまたは複数のUE602、604がネットワークノードにCQI値を報告し、606で、CQI値をネットワークノードによって記憶することができる。これらの記憶されたCQI値は、608で、CQI分布を計算するために、ネットワークノードで使用される。たとえば、CQI値は、所定のタイムウィンドウ610の間に受信されたすべてのCQI値のヒストグラムを計算するために使用され得る。ここでは、ヒストグラムは、特定のセクタまたはセルによってサービスされるすべてのUEまでの、複数のUEによって送信された結合されたCQI値を含むことができ、または、ヒストグラムは、特定のUEによって送信されたCQI値のみを含むことができる。
【００４９】
CQI分布を使用して、ネットワークノードは、1つまたは複数のCQI値が、612でCQI範囲の下端においてクリップされるか、614でCQI範囲内にあるか(たとえば、クリップされない)、または616でCQI範囲の上端においてクリップされるかを決定することができる。612で1つまたは複数のCQI値が下側の範囲においてクリップされる場合、ネットワークノードは、618で、測定電力オフセットを増加させることができ、新しい測定電力オフセット値は、UE602、604の1つまたはすべてに送られ得る。測定電力オフセットが増加される量は、620で、あらかじめ定義されたステップサイズアップによって示され得る。614でCQI値が少なくとも実質的に所定の範囲内にある(たとえば、クリップされていない)場合、ネットワークノードは、622で、測定電力オフセットに変更を加えない場合があり、CQI値を監視し続けることができる。616で1つまたは複数のCQI値が上側の範囲においてクリップされる場合、ネットワークノードは、624で、測定電力オフセットを低下させることができ、新しい測定電力オフセット値は、UE602、604の1つまたはすべてに送られ得る。測定電力オフセットが低下される量は、626で、あらかじめ定義されたステップサイズダウンによって示され得る。
【００５０】
タイムウィンドウパラメータ610、ステップサイズアップパラメータ620、およびステップサイズダウンパラメータ626は、最初に、628で、操作および管理(O&M)エンティティ630によってあらかじめ定義され得る。操作の過程にわたって、ネットワークノードは、これらの入力パラメータ610、620、626を調整し、微調整するためのプロセス632を実行するために、受信されたCQI値606を使用することができる。
【００５１】
図7を参照すると、少なくとも1つの実装形態による測定電力オフセット調整操作におけるネットワークノード700とUE550との間の対話のうちの少なくともいくつかの一例を示すフロー図が示されている。本開示の様々な態様において、ネットワークノード700は、基地局510(たとえば、ノードBまたはeノードB)、RNC206、または記載された機能を実行するための無線アクセスネットワークまたはコアネットワークにおける任意の適したノードとすることができる。最初に、UE550は、測定電力オフセット702が提供され得る。この最初の測定電力オフセットは、たとえば、呼セットアップでシグナリングされ得る、または、たとえばトランスポートチャネル再構成手順、無線ベアラ再構成手順、またはUE550に送信を送るときにネットワークノード700によって使用される電力レベルを推定する際に使用するために、UE550に測定電力オフセットを提供するための任意の他の方法のうちの一部など、RRCメッセージとしてシグナリングされる調整された測定電力オフセットを含み得る。この測定電力オフセットに言及する際の「最初」という用語の使用は、測定電力オフセットが最初のものであると解釈されないものとする。代わりに、「最初」という用語は、この測定電力オフセットが、以下で説明する新しい測定電力オフセットに先行することを示すものとする。この測定電力オフセットを使用して、UE550は、704で1つまたは複数のCQI値を計算することができる。1つまたは複数の計算されたCQI値の各々は、706でネットワークノード700に報告される。
【００５２】
1つまたは複数のCQI値が受信されると、ネットワークノード700は、708で、CQI値のうちの少なくとも一部が上限しきい値または下限しきい値のいずれかを外れるかどうかを決定する。たとえば、上限しきい値は、何らかの値(たとえば、28、または上限値30など)に設定され得、ネットワークノード700は、1つまたは複数のCQI値がしきい値以上であるかどうかを決定することができる。いくつかの実装形態では、ネットワークノード700は、あらかじめ決定された時間期間の過程にわたって受信されたCQI値の分布を生成することができる(たとえば、ヒストグラム)。たとえば、そのような分布は、ネットワークカウンタ間隔(たとえば、一般的には、15分または1時間)に等しいある時間間隔、ならびに設計者の選好に従ってより短いまたは長いある時間間隔にわたって受信されたCQI値について生成され得る。ネットワークノード700がCQI値の分布を生成する例では、ネットワークノード700は、たとえば、特定の数のCQI値が上限または下限である、あるいは上限しきい値または下限しきい値を外れるかどうかを決定するために、分布(たとえば、ヒストグラム)を評価することができる。たとえば、分布におけるスパイク、または複数の次のCQI値が最大(たとえば30)で報告されるまでCQI値が上昇することを示す分布は、CQI値が上端においてクリップされていること、および測定電力オフセットが低減されるべきであることを示し得る。一方、分布におけるスパイク、または複数の次のCQI値が最小(たとえば1)で報告されるまでCQI値が下降することを示す分布は、CQI値が下端においてクリップされていること、および測定電力オフセットが増加されるべきであることを示し得る。
【００５３】
CQI分布の特徴がクリッピングを示す場合、または何らかの所定の数のCQI値が上限しきい値を上回る、または下限しきい値を下回る場合、ネットワークノード700は、710で新しい測定電力オフセット値を決定することができる。たとえば、所定の数のCQI値(たとえば、1つまたは複数)が上限しきい値を上回る場合、その後報告されたCQI値がより集中した分布を形成することができるように、最初の(または前の)測定電力オフセットよりも低い新しい測定電力オフセットが選択され得る。712で新しい測定電力オフセット値がUE550に送信され得る。新しい測定電力オフセットを受信した後、UE550は、714で、報告される次のCQI値を計算する際に新しい測定電力オフセットを使用する。このプロセスは、UE550によって報告されるCQI値のクリッピングを低減する、さらには除去するために、測定電力オフセットが絶えず改善されるように、無期限に繰り返すことができる。
【００５４】
図8は、少なくとも1つの実装形態による、CQI値に応答して測定電力オフセット調整を円滑にするために、RNC206または基地局510(たとえば、ノードBまたはeノードBなど)のなどのネットワークノード上で動作可能な方法を示すフロー図である。図5と図8の両方を参照すると、ネットワークノードは、ステップ802で、1つまたは複数のUEから複数の報告されたCQI値を受信することができる。たとえば、基地局510の受信機535は、アンテナ534を介して複数のアップリンク送信を受信することができ、各送信から受信フレームプロセッサ536に回復されたCQI値を提供することができる。受信フレームプロセッサ536は、各フレームを解析し、受信プロセッサ538にCQI信号を供給することができ、それらは、処理され、コントローラ/プロセッサ540に供給される。
【００５５】
様々な実装形態によれば、受信されたCQI値の各々は、メモリ542などのメモリに記憶することができる。様々な基準に従って、CQI値を収集することができる。たとえば、CQI値は、各個々のセルについて一斉に収集することができ、または、CQI値は、各UEにおける測定電力オフセットパラメータのより微細でより正確な制御を得るために、UEタイプ、モデル、カテゴリに従って、または、ユーザごとにグループ分けすることができる。
【００５６】
ステップ804で、ネットワークノードは、受信された複数のCQI値のうちの少なくとも一部が上限しきい値以上である、または下限しきい値以下であるかどうかを決定する。たとえば、基地局510のコントローラ/プロセッサ540は、CQI値のうちの少なくとも一部が上端しきい値以上である、または下端しきい値以下であるかどうかを決定するために、受信された複数のCQI値を分析することができる。少なくともいくつかの実装形態では、コントローラ/プロセッサ540は、ステップ806に示されるように、あらかじめ定義された時間期間にわたるCQI分布を計算することができる。たとえば、コントローラ/プロセッサ540は、特定の時間期間にわたって受信されたCQI値に基づいて、ヒストグラムを生成することができる。次いで、コントローラ/プロセッサ540は、ステップ808に示すように、受信されたCQI値の分布の特徴がCQI値のうちの少なくとも一部が上端しきい値または下端しきい値の一方を外れることを示すかどうかを決定することができる。
【００５７】
少なくとも1つの実装形態では、複数のCQI値が上側の最大値(たとえば、30)、または下側の最大値(たとえば、1)で受信されることを、分布が示すことを決定することによって、コントローラ/プロセッサ540は、CQIクリッピングが発生しているかどうかを決定することができる。1つまたは複数の他の実装形態では、コントローラ/プロセッサ540は、CQI値の分布が少なくとも実質的に、(たとえば、範囲が1と30との間であるとき、値15を中心とした)所定の範囲の値内を中心としているかどうかを決定するように適合され得る。
【００５８】
ステップ810で、ネットワークノードは、受信された複数のCQI値のうちの少なくとも一部が下端または上端しきい値を外れることに応答して、新しい測定電力オフセットを取得することができる。たとえば、コントローラ/プロセッサ540は、受信された複数のCQI値のうちの少なくとも一部が下端または上端しきい値を外れる場合、前の測定電力オフセットを何らかの量だけ調整することによって、新しい測定電力オフセットを取得することができる。いくつかの実装形態では、コントローラ/プロセッサ540は、CQI値が下限または上限しきい値のうちの一方である、またはそれを外れることが報告されると、あらかじめ決定された量だけ前の測定電力オフセットを低減/増加させることによって、新しい測定電力オフセットを取得するように適合され得る。一般に、受信された複数のCQI値のうちの少なくとも一部が上端しきい値以上であることに応答して、前の測定電力オフセットを低下させる、または、受信された複数のCQI値のうちの少なくとも一部が下端しきい値以下であることに応答して、前の測定電力オフセットを増加させることができる。他の実装形態では、コントローラ/プロセッサ540は、所定の範囲のCQI値内のCQI分布を少なくとも実質的に中心にするように計算された量だけ、前の測定電力オフセットを低減/増加させることによって、新しい測定電力オフセットを取得するように適合され得る。
【００５９】
ステップ812で、受信された複数のCQI値のうちの少なくとも一部が上限しきい値以上である、または下限しきい値以下であることに応答して、新しい(または調整された)測定電力オフセットが1つまたは複数のUEに送信される。たとえば、コントローラ/プロセッサ540は、図5を参照して上記で本明細書に記載されたように、送信プロセッサ520、送信フレームプロセッサ530、および送信機532を介して、新しい測定電力オフセットを1つまたは複数のUEに送信することができる。少なくともいくつかの実装形態では、新しい測定電力オフセットは、たとえば、トランスポートチャネル再構成手順、無線ベアラ再構成手順、または他のRRCシグナリングの一部など、RRCシグナリングとして送ることができる。いくつかの実装形態では、同じ新しい測定電力オフセットを複数のUEの各々に送信することができ、一方、他の実装形態では、一意の新しい送信電力オフセットを複数のUEの各々に送信することができる。
【００６０】
図9は、少なくとも1つの実装形態による、ユーザ機器によって報告されるCQI値に応答して測定電力オフセット調整を円滑にするための、UE550などのユーザ機器上で動作可能な方法を示すフロー図である。図9と図5の両方を参照すると、UEは、ステップ902で複数のチャネル品質インジケータ(CQI)を生成することができる。たとえば、UE550のコントローラ/プロセッサ590は、式PHSPDSCH=PCPICH+Γ+Δ(dB)に従って、複数のCQI値を計算し、式中、PCPICHは一般的に、P-CPICHの受信電力であり、Γは最初の測定電力オフセットであり、Δは技術仕様に含まれるテーブルによって与えられる参照電力調整である。本明細書で使用される場合、最初の測定電力オフセットは、第1の測定電力オフセットであることに限定されない。代わりに、最初の測定電力オフセットは、この測定電力オフセットが、以下で説明する新しい測定電力オフセットに先行することを表す。計算されたCQI値は、一般的に、1と30との間の範囲におけるどこかに入り得る。
【００６１】
ステップ904で、UE550は、複数のCQI値の各々を基地局510などの基地局に送信することができる。たとえば、コントローラ/プロセッサ590は、図5を参照して上記で本明細書に記載されたように、送信プロセッサ580、送信フレームプロセッサ582、および送信機556を介して、新しい測定電力オフセットを基地局510にワイヤレスに送信することができる。
【００６２】
次いで、UE550は、ステップ906で、基地局に送信された複数のCQI値のうちの少なくとも一部が上限しきい値または下限しきい値のうちの一方を外れることに応答して、新しい測定電力オフセットを示す送信を受信することができる。たとえば、UE550の受信機554は、アンテナ552を介して基地局510からワイヤレス送信を受信することができ、図5に関して本明細書で上述したように、受信フレームプロセッサ560および受信プロセッサ570を介して回復された送信データをコントローラ/プロセッサ590に供給することができる。新しい測定電力オフセットは、複数のCQIのうちの少なくとも一部が上限しきい値以上であることに応答して、最初の測定電力オフセットよりも低い値を有し得る、または複数のCQIのうちの少なくとも一部が下限しきい値以下であることに応答して、最初の測定電力オフセットよりも高い値を有し得る。
【００６３】
ステップ908で、UEは、複数の次のCQI値を決定する際に新しい測定電力オフセットを使用することができる。たとえば、コントローラ/プロセッサ590は、式PHSPDSCH=PCPICH+Γ+Δ(dB)に従って、次のCQI値を計算する際に、新しい測定電力オフセットを使用することができる。新しい測定電力オフセットを使用することによって、UEは、より中心であり得、CQI報告範囲の上側または下側の境界でのクリッピングが免れ得る次のCQI値を生成することができる。
【００６４】
W-CDMAシステムを参照して、電気通信システムのいくつかの態様を示してきた。当業者が容易に諒解するように、本開示全体にわたって説明される様々な態様は、他の電気通信システム、ネットワークアーキテクチャおよび通信規格に拡張され得る。
【００６５】
例として、様々な態様は、TD-SCDMAおよびTD-CDMAのような、他のUMTSシステムに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムにおいて実装され得る。実際の利用される電気通信規格、ネットワークアーキテクチャ、および/または通信規格は、具体的な用途およびシステム課される全体的な設計制約に依存する。
【００６６】
上記の説明は、本明細書で説明される様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、特許請求の範囲の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。項目の列挙「のうちの少なくとも1つ」という語句は、単一の要素を含め、それらの項目の任意の組合せを指す。たとえば、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明された様々な態様の要素と構造的かつ機能的に同等のものはすべて、参照により本明細書に明確に組み込まれ、特許請求の範囲によって包含されることが意図される。その上、本明細書で開示する内容は、そのような開示が特許請求の範囲で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されるべきではない。
【符号の説明】
【００６７】
100  アクセスネットワーク
102  セル
104  セル
106  セル
112  アンテナグループ
114  アンテナグループ
116  アンテナグループ
118  アンテナグループ
120  アンテナグループ
122  アンテナグループ
124  アンテナグループ
126  アンテナグループ
128  アンテナグループ
130  UE
132  UE
134  UE
136  UE
138  UE
140  UE
142  基地局
144  基地局
146  基地局
200  UMTSシステム
202  UTRAN
204  コアネットワーク
206  RNC
207  RNS
208  ノードB
210  UE
211  USIM
212  MSC
214  GMSC
215  HLR
216  回線交換ネットワーク
218  サービングGPRSサポートノード(SGSN)
220  ゲートウェイGPRSサポートノード(GGSN)
222  パケットベースネットワーク
306  物理層
308  L2層
310  メディアアクセス制御(MAC)サブレイヤ
312  無線リンク制御(RLC)サブレイヤ
314  パケットデータコンバージェンスプロトコル(PDCP)サブレイヤ
316  RRC層
400  装置
402  バス
404  プロセッサ
405  メモリ
406  コンピュータ可読媒体
408  ノードB
408  バスインターフェース
410  トランシーバ
412  ユーザインターフェース
414  処理システム
510  基地局
512  データ源
520  送信プロセッサ
530  送信フレームプロセッサ
532  送信機
534  アンテナ
535  受信機
536  受信フレームプロセッサ
538  受信プロセッサ
539  データシンク
540  コントローラ/プロセッサ
542  メモリ
544  チャネルプロセッサ
546  スケジューラ/プロセッサ
550  UE
552  アンテナ
554  受信機
556  送信機
560  受信フレームプロセッサ
570  受信プロセッサ
572  データシンク
578  データ源
580  送信プロセッサ
582  送信フレームプロセッサ
590  コントローラ/プロセッサ
592  メモリ
594  チャネルプロセッサ
602  UE
604  UE
630  操作および管理(O&M)エンティティ
700  ネットワークノード
702  測定電力オフセット
【図１】
0005774227.tif 000002
【図２】
0005774227.tif 000003
【図３】
0005774227.tif 000004
【図４】
0005774227.tif 000005
【図５】
0005774227.tif 000006
【図６】
0005774227.tif 000007
【図７】
0005774227.tif 000008
【図８】
0005774227.tif 000009
【図９】
0005774227.tif 000010